(57)【要約】【課題】  本発明は、載置台に対する脚の配置や数量を考慮することで転倒しにくくすると共に、例え転倒した場合であっても、表示装置の前面を保護することができる載置台および表示ユニットを提供する。【解決手段】  本表示ユニットは、表示装置１と、載置台２と、制御装置４とから構成される。載置台１には、外力が加わったときに表示ユニットが倒れないようにする機構を有し、転倒する場合は表示ユニットの後側に転倒する構造に形成される。  具体的には、基台６の前側の左右両端と基台６の中央の三ヵ所に前側支持脚７ａが配置され、基台６の後側の左右両端に後側支持脚７ｂが配置される。前側支持脚７ａおよび後側支持脚７ｂは、基台６からそれぞれ前方向または後方向に突出して備えられる。前側支持脚７ａは、その隣り合う脚同士の距離ｌ１を、後側支持脚７ｂの隣り合う脚同士の距離ｌ２よりも狭くなるように配置される。【選択図】図３
2009080150.tif 000002
【特許請求の範囲】
【請求項１】
前面に画面を有する表示装置を載置する基台と、前記基台を支持する複数の脚とを備えた載置台であって、
転倒した際に、後側に倒れるように、前記脚は、前記基台の後側より前記基台の前側に多く配置され、前側の左右両端に配置された脚同士の距離が、後側の左右両端に配置された脚同士の距離以上とされたことを特徴とする載置台。
【請求項２】
脚は、基台の傾きを阻止する減衰部材を備え、
前側の脚の減衰部材の減衰力が、後側の脚の減衰部材の減衰力よりも高く設定されたことを特徴とする請求項１に記載の載置台。
【請求項３】
前側の減衰部材の総減衰力が、後側の減衰部材の総減衰力よりも高く設定されたことを特徴とする請求項３に記載の載置台。
【請求項４】
減衰装置の限界を超えたときに、脚に対して基台を持ち上げて通常の状態に復帰させる復帰機構を備えたことを特徴とする請求項１〜３のいずれかに記載の載置台。
【請求項５】
基台の傾きを検出する検出装置と、復帰機構を制御する制御装置とを備え、
前記基台が特定の角度以上に傾いたことを前記傾き検出装置が検出したとき、前記制御装置は、前記復帰機構を作動させることを特徴とする請求項４に記載の載置台。
【請求項６】
各脚に、復帰機構と検出装置とが備えられ、
制御装置は、それぞれの復帰機構を個別に制御することを特徴とする請求項５に記載の載置台。
【請求項７】
復帰機構は、ラック・ピニオンと、前記ピニオンを介して前記ラックを上方向に移動させるモータとを備え、
前記ラックが基台側に取り付けられ、前記基台を持ち上げすぎないようにするために、前記ラックは、その下端部分を切り欠いたことを特徴とする請求項６に記載の載置台。
【請求項８】
各脚は、その下面に、移動を容易にするための移動用車輪が備えられたことを特徴とする請求項１〜７のいずれかに記載の載置台。
【請求項９】
表示装置と、前記表示装置を基台の中央より前側に載置する請求項１〜８のいずれかに記載の載置台とが一体的に設けられたことを特徴とする表示ユニット。
【発明の詳細な説明】
【技術分野】
【０００１】
本発明は、表示装置を載置する載置台、および、載置台と表示装置とを一体的に形成された表示ユニットに関する。
【背景技術】
【０００２】
近年、大型の画面を有する表示装置が開発されている。この表示装置は、単なるテレビとしての機能のみならず、パソコンとテレビを融合させたインターネットテレビといった新たな機能を備えている。そのため、表示装置は、その大きさもさることながら、価格が大変高価なのものとなっている。
【０００３】
一方、表示装置を載置する載置台は、大型化した表示装置を載置するだけの基台を設けるだけで、載置した表示装置が転倒しないようにするといった安全性に関しては特に考えられていない。そのため、表示装置の設置時や人の移動時の不注意によって表示装置が転倒してしまい、表示装置で最も高価な画面を破損するといった問題が発生していた。そこで、載置台に載置した表示装置が転倒しないようにする対処法が急務とされている。
【０００４】
載置台に載置した表示装置を転倒させないようにする一般的な技術としては、特許文献１および特許文献２が挙げられる。特許文献１には、キャスタのケースの内部に、可動部材と固定部材との間に形成される空間に配される弾性部材を有する衝撃吸収装置を備え、キャスタが床面から受ける衝撃を弾性部材の弾性変形によって吸収緩和させ、乗り心地の向上等を図った衝撃吸収装置付き搬送車が開示されている。
【０００５】
特許文献２には、略直方体状の本体の右前方に右前脚部が、本体の左前方に左前脚部が、本体の右後方に右後脚部が、本体の左後方に左後脚部がそれぞれ突出し、支持部の本体正面側は、本体の前面と上面視略同一形状に形成されており、転倒を防止するとともにドアの開口部等の隘路を容易に通過できる載置台およびディスプレイ装置が開示されている。
【特許文献１】特開平１１−３１４５７０号公報
【特許文献２】特開２００４−１０４３６７号公報
【発明の開示】
【発明が解決しようとする課題】
【０００６】
しかし、地震のように大きな衝撃が加わったとき、載置台の転倒は避けられない。このように転倒する場合のことを想定して、表示装置でも一番高価な画面を保護することはなんら考慮されていない。また、載置台に対する脚の配置や数量についても何ら定義されていない。
【０００７】
本発明は、上記に鑑み、載置台に対する脚の配置や数量を定義することで転倒しにくい載置台および表示ユニットにすると共に、例え転倒した場合であっても、表示装置の画面を保護することができる載置台および表示ユニットの提供を目的とする。
【課題を解決するための手段】
【０００８】
上記目的を達成するために、本発明では、前面に画面を有する表示装置を載置する基台と、前記基台を支持する複数の脚とを備えた載置台であって、転倒した際に、後側に倒れるように、前記脚は、前記基台の後側より前記基台の前側に多く配置され、かつ、前側の左右両端に配置された脚同士の距離が、後側の左右両端に配置された脚同士の距離以上とされたことを特徴とする。
【０００９】
表示装置は、基台の中央より前側に載置され、固定される。そのため、全体の重心は、前側に位置する。例えば、表示装置の設置時や人の移動時の不注意によって載置台に接触すると、載置台は前側に転倒し易い。転倒した場合、表示装置の画面を破損する恐れがある。
【００１０】
そこで、載置台は、表示装置を前側に転倒させないようにするために、基台の中央から後側より基台の中央から前側に多く脚を配置する。更に、左右方向への外力に対しても対応できるように、載置台は、前側に配置された脚のうち左右両端に位置する脚と脚の距離を、後側に配置された脚のうち左右両端に位置する脚と脚の距離と同じ、もしくは、それより広くなるように配置する。
【００１１】
上記構成により、載置台は、基台に表示装置を載置した場合であっても、前後左右からの外力に対して表示装置が後側に倒れるように方向を規定できる。また、想定外の外力によって表示装置が転倒する場合であっても、表示装置が上向きになるように、表示装置を後側に転倒させることができる。
【００１２】
脚を表示装置の長手方向に沿って一列に配置した場合、前側の隣り合う脚同士の間隔は、後側の隣り合う脚同士の間隔よりも狭く配置する。これにより、前側にある重心を支えることができ、前側に転倒することを防止できる。
【００１３】
脚は、基台の傾きを阻止する減衰部材を備え、前側の脚の減衰部材の減衰力が、後側の脚の減衰部材の減衰力よりも高く設定されたことを特徴とする。
【００１４】
減衰部材は、外力による振動を吸収する。そのため、外力、例えば、水平方向に力がかかると、前後に備えられた減衰部材が伸縮する。しかし、減衰部材の伸縮量に差がある。すなわち、前側の脚の減衰部材の減衰力よりも後側の脚の減衰部材の減衰力の方が低く設定されているため、後側の減衰部材の伸縮量が大きくなる。
【００１５】
上記構成により、外力が小の場合、載置台は減衰部材によって振動を減衰する。外力が大の場合、すなわち、減衰部材の伸縮量の限界を超える場合、基台が後方に大きく傾く。これにより、載置台は、後側に倒れるように方向を規定できる。そのため、載置台は表示装置が前側に転倒することを防止できる。
【００１６】
なお、外力によって載置台が後側に倒れるように方向を規定するためには、前側の減衰部材の総減衰力を後側に配置された減衰部材の総減衰力よりも高く設定しても良い。
【００１７】
減衰装置の限界を超えたときの対策として、復帰機構が備えられる。復帰機構は、ラック・ピニオンと、前記ピニオンを介して前記ラックを上方向に移動させるモータとを備える。ラックは基台側に取り付けられる。ラックは、基台を持ち上げすぎないようにするために、その下端部分を切り欠いている。すなわち、ピニオンと噛み合わないようにするために、ラックの下端部分は、ギア形状の凹凸を切り欠いた平面状に形成される。
【００１８】
復帰機構は、載置台に備えられた制御装置によって制御される。具体的には、基台の傾きを検出する傾き検出装置と、復帰機構を制御する制御装置とを備え、前記基台が特定の角度以上に傾いたことを前記傾き検出装置が検出したとき、前記制御装置は、前記復帰機構を制御し、脚に対して基台を持ち上げて減衰部材を通常の状態に復帰させる。
【００１９】
検出装置が減衰部材の収縮を検出すると、制御装置は、復帰機構を作動させて、脚に対して基台を持ち上げて減衰部材を通常の状態に復帰させる。具体的には、傾いた基台の前側あるいは後側を上昇させる。基台の傾きがなくなる。所定の高さまで基台が上昇すると、ラックの切り欠きによってそれ以上は上昇しない。これにより、逆に傾くことを防止できる。
【００２０】
復帰機構は各脚に備えられる。制御装置は、各脚に備えられた復帰機構を個別に制御する。これにより、復帰部材は、減衰部材を常に通常の状態に維持することができる。
【００２１】
各脚には、その下面に移動を容易にするための移動用車輪が備えられる。これにより、設置する際に、容易に表示装置を移動させることができる。
【００２２】
表示装置と、前記表示部を基台の中央より前側に載置する載置台とを一体的に設けられても良い。
【発明の効果】
【００２３】
本発明によると、地震や突風等の自然災害によって載置台に対して横揺れの外力が加わり、転倒が避けられない場合であっても、基台の中央より後方側よりも前方側に脚を多く配置しているので、表示装置の前側から転倒することを防止できる。
【００２４】
また、各脚に減衰部材が備えられているので、表示装置の設置時や人の移動時等によって載置台に不意の外力がかかった場合であっても、減衰部材が外力を吸収して状態を維持することができる。例え減衰部材が収縮したとしても、備えられた復帰機構によって載置台を元の状態に戻すことができる。
【発明を実施するための最良の形態】
【００２５】
以下、本発明の表示ユニットを、図１〜図１０を用いて詳細に説明する。
【００２６】
本発明の表示ユニットは、表示装置１、特に大型の表示装置１と載置台２とが一体あるいは別体に構成されたものであって、全体の重心が表示ユニットの前側に位置するものである。そのため、本表示ユニットは、外力が加わったときに表示ユニットが転倒しにくくする機構を備える。しかし、地震のように大きな衝撃が加わったときは、表示ユニットの転倒は避けられない。このように転倒する場合、表示ユニットの後側に転倒するように、表示ユニットは形成される。
【００２７】
具体的には、表示ユニットは、図１および図２に示すように、画像を表示する表示装置１と、前記表示装置１を載置する載置台２と、表示装置１に表示された画像を印刷する画像形成装置３と、これら装置を制御する制御装置４とから構成される。
【００２８】
表示装置１は、例えば、ＣＲＴディスプレイや液晶ディスプレイ等であり、制御装置４からの指示に基づいて、入力された画像を表示する画面５を有する。表示装置１は、載置台２の基台６の上面で、中央より前側に配置される。
【００２９】
画像形成装置３は、制御装置４からの指示に基づいて、表示装置１で表示された情報を印刷する。画像形成装置３は、載置台２に装着される。なお、画像形成装置３は、画像読み取り機能を備えており、スキャナとしても使用することができる。
【００３０】
載置台２は、表示装置１を載置する基台６と、前記基台６を支持する複数の脚７とを備える。
【００３１】
基台６は、図３に示すように、直方体形状に形成された台座である。基台６の幅は、表示装置１の幅より小とされ、その奥行きは、表示装置１の奥行き（厚さ）よりも大とされる。
【００３２】
脚７は、図３に示すように、基台６の前側に配置される前側支持脚７ａと、基台６の後側に配置される後側支持脚７ｂとから構成される。各脚７は、基台６の幅方向に沿って、それぞれ一列に配置される。脚７は、前側に３個、後側に２個備えられる。各脚７の下面には、移動を容易にするための移動用車輪（キャスタ）８が備えられる。
【００３３】
ところで、表示装置１は、載置台２の前側に載置される。全体の重心は、表示ユニットの前側に位置する。そのため、表示ユニットは、全体的に前側に倒れ易い。そこで、前側支持脚７ａおよび後側支持脚７ｂは、以下の（１）式および（２）式の条件を満たすように配置される。
【００３４】
前側支持脚の本数＞後側支持脚の本数                          ・・・（１）
前側支持脚の左右端の距離Ｌ１≧後側支持脚の左右端の距離Ｌ２  ・・・（２）
【００３５】
例えば、図３に示すように、前側支持脚７ａは、基台６の左右両端と基台６の中央の三ヵ所に配置され、基台６からそれぞれが前方向に突出して備えられる。前側支持脚７ａは、その隣り合う脚同士の距離ｌ１を、後側支持脚７ｂの隣り合う脚同士の距離ｌ２よりも狭くなるように配置される。後側支持脚７ｂは、基台６の左右両端の二ヵ所に配置される。後側支持脚７ｂは、基台６からそれぞれ後方向に突出して備えられる。
【００３６】
脚７の数が多いと、脚７にかかる外力を分散することができる。そのため、大きな外力に対して耐えることができる。左右端に位置する脚７と脚７の距離が広いと、載置台２の安定性が増す。これにより、載置台２は、倒れ難くなる。例え倒れたとしても、載置台２は、後側に倒れるように規定できる。
【００３７】
脚７の配置は特にこの限りではない。例えば、図４に示すように、前側支持脚７ａの左右端までの距離Ｌ１が後側支持脚７ｂの左右端までの距離Ｌ２よりも大となるように配置しても良い。この場合の前側支持脚７ａおよび後側支持脚７ｂの配置は、図３の場合と同様に配置される。なお、この場合の基台６の形状は、直方体形状よりも、図４に示すように、上方から見ると凸状に形成された略直方体の形状の方が好ましい。
【００３８】
具体的には、基台６は、図４に示すように、前側部分の幅が広く、後側部分の幅が狭く形成する。基台６の前側部分の幅は、表示装置１の幅より小とされ、その奥行きは、表示装置１の奥行き（厚さ）と同じである。基台６の後側部分の左右両端の位置は、基台６の前側部分の左右両端より内側に位置し、基台６の前側部分の幅より小とされ、その奥行きは、表示装置１の奥行き（厚さ）よりも大とされる。
【００３９】
各脚７には、図５〜図１０に示すように、基台６の傾きを阻止する減衰部材９と、基台６の傾きを検出する傾き検出装置１０と、検出装置１０の検出結果に応じて、脚７に対して基台６を持ち上げて載置台２を通常の状態に復帰させる復帰機構１１とを備える。
【００４０】
減衰部材９は、外力によって基台６が上下に動き続けたり、振動するのを弱めたりするダンパである。減衰部材９のロッド９ｂの先端に支持材８ａが取り付けられる。支持材８ａは、キャスタ８のキャスタ回転シャフト１２の両端を保持する。
【００４１】
減衰部材９は、基台６に取り付けられる。脚７は、基台６に対して上下動可能となる。基台６が下降すると、減衰部材９のロッド９ｂが縮む。減衰部材９の反発により、基台６が上昇する。これにより、基台６の振動が抑えられる。
【００４２】
減衰部材９の上端には、基台６に対して外方向に突出した突起部９ａが形成される。突起部９ａは、減衰部材９が外力により所定値以上に縮んだときに検出装置１０と接触する。
【００４３】
突起部９ａは、減衰部材９の初期位置、すなわち、外力が加わっておらず基台６が静止状態のとき、検出装置１０よりも高い位置にある。外力が加わり、基台６が倒れない限界位置まで傾くと、突起部９ａは、検出装置１０に接触する。すなわち、減衰部材９が所定値以上に縮むと、ロッド９ｂが縮み、基台６が下がる。それにより、突起部９ａは下降して検出装置１０と接触する。
【００４４】
減衰部材９は、前側支持脚７ａに備えられたものと、後側支持脚７ｂに備えられたもので、その減衰力が異なる。減衰部材９の減衰力は、以下の（３）式、（４）式のいずれか一方の条件、あるいは、両方の条件を満たすように設定される。
【００４５】
前側支持脚の減衰部材の減衰力＞後側支持脚の減衰部材の減衰力      ・・・（３）
前側支持脚の減衰部材の総減衰力＞後側支持脚の減衰部材の総減衰力  ・・・（４）
【００４６】
減衰力が大きいほど外力に対向する力が強くなる。すなわち、振動を吸収して、載置台２が傾くことを防止する力が強くなる。そこで、後側支持脚７ｂの減衰部材９の減衰力よりも前側支持脚７ａの減衰部材９の減衰力の方を大きくする。あるいは、後側支持脚７ｂの減衰部材９の総減衰力よりも前側支持脚７ａの減衰部材の総減衰力９の方を大きくする。
【００４７】
これにより、載置台２に外力がかかると、載置台２は、減衰力の小さい後側に傾く。すなわち、転倒が避けられない場合であっても、載置台２の中央より後方側よりも前方側に減衰力の大きい減衰部材９を配置しているので、表示装置１の前側から転倒することを防止できる。
【００４８】
検出装置１０は、減衰部材９の突起部９ａが接触することで、基台６が傾いたことを検知するリミットセンサである。具体的には、図９および図１０に示すように、基台６が傾く、すなわち、基台６が下降するとロッド９ｂが縮む。減衰部材９が外力により所定値以上に縮むことで突起部９ａが検出装置１０に接触する。検出装置１０は、接触を検知すると検知信号を制御装置４に送信する。これにより、制御装置４は、基台６が傾いたと判断する。
【００４９】
基台６が上昇すると、検出装置１０に接触していた突起部９ａが離れる。検出装置１０は、突起部９ａが離れたことを検知すると、ＯＦＦ信号を制御装置４に送信する。これにより、制御装置４は、基台６が元の状態に復帰したと判断する。
【００５０】
復帰機構１１は、ラック・ピニオン機構と、前記ピニオン１４を介して前記ラック１３を上方向に移動させるモータ１５とを備える。
【００５１】
ラック・ピニオン機構は、図５に示すように、モータ１５の回転駆動をラック１３に伝達する一般的な駆動機構であって、基台６に対して外方向の減衰部材９の側面に固定されたラック１３と、モータ１５のモータ軸に取り付けられたモータギア１５ａと、モータギア１５ａと噛み合う大減速ギア１５ｂと、大減速ギア１５ｂが取り付けられた駆動シャフト１６と、モータ１５の回転駆動を大減速ギア１５ｂと駆動シャフト１６を介してラック１３に伝達するピニオン１４とから構成される。
【００５２】
大減速ギア１５ｂには、一方向の回転を伝達するワンウェイ軸受１５ｃが圧入される。この構成により、大減速ギア１５ｂは、基台６を復帰させる方向の回転駆動を伝達し、その逆の回転駆動を伝達しない。詳しくは、図６に示すように、ラック１３が下方に移動すると、ピニオン１４が矢印方向Ａ１に回転する。しかし、大減速ギア１５ｂに圧入されているワンウェイ軸受１５ｃの働きで、駆動シャフト１６と大減速ギア１５ｂの間でスリップし、大減速ギア１５ｂは回転しない。モータ１５に負荷がかからない。
【００５３】
一方、モータ１５が回転すると、図７に示すように、モータギア１５ａは、矢印方向Ｂ１の方向に回転する。大減速ギア１５ｂは、矢印方向Ｂ２の方向に回転する。ワンウェイ軸受１５ｃの働きで、駆動シャフト１６と大減速ギア１５ｂの間でスリップせず、駆動シャフト１６は、矢印方向Ｂ２に回転し、ピニオン１４も同じ方向に回転する。ラック１３が上方向に移動する。減衰部材９は、上方向に移動して、基台６が上昇する。
【００５４】
ところで、載置台２を元の状態に復帰させるには、ラック１３を所定値以上に上方向に移動させないようにする必要がある。ラック１３を所定値以上に上方向に移動させると、減衰部材９が伸びた状態となり、基台６が他の方向に傾く。例えば、載置台２が前側に傾いていた場合にラック１３を所定値以上に移動させると、載置台２は後側に傾く。すなわち、載置台２が元の状態に復帰しない。
【００５５】
そこで、ラック１３が所定値以上に上方向に移動しないように、ラック１３は、図８に示すように、その上端部分１３ａをギア状（以下、ギア部とする）に形成し、下端部分１３ｂを切り欠いて平面状（以下、平面部とする）に形成する。これにより、ラック１３が所定値以上に移動すると、ピニオン１４は平面部１３ｂと対峙する。そのため、ラック１３には、回転動力を伝達されず、上方向に移動しない。したがって、基台６は、他の方向に傾くことなく元の状態に復帰する。
【００５６】
なお、ギア部１３ａと平面部１３ｂとの割合は、減衰部材９の縮み量によって決まる。すなわち、ギア部１３ａと平面部１３ｂとの割合は、載置台２が元の状態において、ピニオン１４と対峙した位置からラック１３の上端までの間をギア部１３ａとし、対峙した位置からラック１３の下端までの間を平面部１３ｂとする。
【００５７】
制御装置４は、ＲＡＭ、ＲＯＭといったデータを一時的に記憶するメモリと、制御プログラムやデータを記憶する記憶部と、画面５に画像を表示させるＬＣＤコントローラと、これら装置を制御するＣＰＵとを有するマイクロコンピュータからなる。
【００５８】
制御装置４は、ＨＤＤ（Ｈａｒｄ Ｄｉｓｋ Ｄｒｉｖｅ）からなる記憶部に格納されている制御プログラムをメモリに読み出して、制御プログラムを実行する。各装置は、制御プログラムにしたがって動作する。
【００５９】
制御装置４は、検出装置１０からの検知信号を受信すると、基台６が傾いたと判断し、モータ１５を駆動させて載置台２を元の状態に復帰させる。そして、減衰部材９が上昇すると、制御装置４は、検出装置１０からＯＦＦ信号を受信して、モータ１５の駆動を停止させる。
【００６０】
図９は、表示ユニットが正常の状態、つまり、外力が加わっていない状態で、減衰部材９が通常の位置にある。この状態では、ラック１３とピニオン１４は噛み合っていない。すなわち、表示ユニットが正常状態では、減衰部材９が縮んでないので、ピニオン１４とラック１３の平面部１３ｂaとが対峙するため、噛み合っていない。また、検出装置１０は、突起部９ａと接触していない状態である。
【００６１】
表示ユニットに大きな外力が加わると、基台６が傾いてロッド９ｂが縮むので、減衰部材９が下方に移動する。突起部９ａは、減衰部材９の移動に追従して下方向に移動し、検出装置１０と接触する。検出装置１０は、検知信号を制御装置４に送信する。ピニオン１４はラック１３に噛み合う。
【００６２】
制御装置４は、検出装置１０からの検知信号を受信すると、モータ１５を駆動させる。モータ１５を駆動させて、ラック１３を上昇させて減衰部材９を元の位置まで押し上げる。このとき、突起部９ａは、減衰部材９の移動に追従して上方向に移動し、検出装置１０から離れる。これにより、検出装置１０は、ＯＦＦ信号を制御装置４に送信する。制御装置４は、検出装置１０からＯＦＦ信号を受信すると、モータ１５の駆動を停止させる。載置台２は元の状態に復帰する。
【００６３】
表示ユニットが大きく傾いて倒れそうになっても、基台６の傾きが抑制され基台６の転倒を防止できる。また、予想以上の外力が加わって、復帰機構１１の作動よりも速い速度で基台６が傾くと、基台６は転倒する。しかし、前側支持脚７ａと後側支持脚７ｂの関係から、表示ユニットは、前側に倒れずに後側に転倒するので、表示装置１の画面５を保護することができる。
【００６４】
本発明は、特に、商品発表や企画説明といったプレゼンテーションで利用することを考えている。プレゼンテーションでは、利用者が表示装置１の画面５に対して、指示棒等で画面を指したり、タッチパネルを有する画面５に触れて文字等を入力したりしながら説明をする。そのため、表示装置１が基台６の中央に載置され、表示装置１の前側に載置台２の一部が飛び出していると、利用者は、表示装置１の画面５に対して、指示棒等で指したり、触れて文字等を入力したりすることが困難となり、効果的なプレゼンテーションを行なうことができない。そこで、表示装置１は、基台６の中央より前側に載置する必要がある。
【００６５】
しかし、基台６の中央より前側に表示装置１を載置すると、全体の重心が前側に位置するため、プレゼンテーション中に、利用者の不注意で転倒する可能性が高い。そこで、本発明は、載置台２に対する脚７の配置や数量を定義することで転倒しにくくすると共に、例え転倒した場合であっても、必ず後側に倒れるので、表示装置１の画面５を保護することができる。
【００６６】
なお、本発明は、上記実施形態に限定されるものではなく、本発明の範囲内で上記実施形態に多くの修正および変更を加え得ることは勿論である。本実施形態では、前側支持脚の数を３個、後側支持脚の数を２個としているが、特にこの限りではなく、例えば、前側支持脚を４個、後側支持脚を２個、あるいは、前側支持脚を５個、後側支持脚を３個といったように、（１）式を満たす関係であれば良い。
【００６７】
本実施形態では、検出装置は各脚に設けられ、制御装置は、各脚の復帰機構を個別に制御する。この代わりに、検出装置を前後に１つずつ設け、制御装置は、前側の全ての復帰機構あるいは後側の全ての復帰機構をそれぞれ制御しても良い。
【００６８】
本実施形態では、ラックが所定値以上に上がらないように下方部分を平面状に切り欠いているが、特にこの限りではなく、例えば、上側部分、すなわち、ギア部のみの長さとしても良い。あるいは、ストッパを設けても良い。
【００６９】
減衰部材は、ダンパに限られることはなく、バネや弾性ゴム等の弾性部材であっても良い。検出装置は、リミットセンサではなく、ジャイロセンサやチルトセンサ等のように、傾きを検知できるセンサであってもよい。
【００７０】
ラックは、基台６に取り付けることに限られることはなく、脚に取り付けても良い。この場合、ラック・ピニオン機構が基台に取り付けられ、ラックの平面部は、上側に位置することになる。
【図面の簡単な説明】
【００７１】
【図１】本発明に係る表示ユニットの全体図であって、（ａ）は正面図、（ｂ）は側面図
【図２】表示ユニットを示すブロック図
【図３】脚の配置を示す上面図
【図４】他の脚の配置を示す上面図
【図５】ラック・ピニオン機構の概略図
【図６】減衰部材が縮むときのワンウェイ軸受の動作を示す図
【図７】モータの回転駆動を伝達するときのワンウェイ軸受の動作を示す図
【図８】ラックの斜視図
【図９】減衰部材が通常状態に位置するときの復帰機構を示す側面図
【図１０】減衰部材が縮んだ状態のときの復帰機構を示す側面図
【符号の説明】
【００７２】
１      表示装置
２      載置台
３      画像形成装置
４      制御装置
５      画面
６      基台
７      脚
７ａ    前側支持脚
７ｂ    後側支持脚
８      キャスタ
８ａ    支持材
９      減衰部材
９ａ    突起部
９ｂ    ロッド
１０    検出装置
１１    復帰機構
１２    キャスタ回転シャフト
１３    ラック
１３ａ  ギア部
１３ｂ  平面部
１４    ピニオン
１５    モータ
１５ａ  モータギア
１５ｂ  大減速ギア
１６    駆動シャフト
【図１】
2009080150.tif 000003
【図２】
2009080150.tif 000004
【図３】
2009080150.tif 000005
【図４】
2009080150.tif 000006
【図５】
2009080150.tif 000007
【図６】
2009080150.tif 000008
【図７】
2009080150.tif 000009
【図８】
2009080150.tif 000010
【図９】
2009080150.tif 000011
【図１０】
2009080150.tif 000012